(57)【要約】     【課題】従来からある、食べこぼしによる衣類の汚れ防止用に考案されたエプロンは、飲食時での使用に限定されているものが多く、それらを家事等に兼用しても違和感無く使用できるものは殆ど無かった。機能的であることに加え、デザインがシンプルかつスタイリッシュであり、更に裏表両面での使用ができるものは見受けられない。本発明は飲食時での食べこぼしの受け止めだけで無く、日常の家事やガーデニング作業等にも着用できる多目的でデザイン性のあるエプロンを提供する。【解決手段】エプロンの上辺に首掛け紐を設けると共に、エプロンの外周寄り、両側辺のそれぞれ中央部と両側辺の下部に、それぞれ一対の接合部材を並列し、フラップ状となるように固定した。エプロンの縦方向には形状保持部材を設け、着脱自在の腰紐も施した。【選択図】図６
2013049931.tif 000002
【特許請求の範囲】
【請求項１】
エプロン本体の上辺に首掛け紐を設けると共に、前記エプロン本体の両側辺のそれぞれ中央部と両側辺の下部に、それぞれ一対の接合部材を並列して、前記エプロン本体の外周寄りにフラップ状となるように固定したことを特徴とするエプロン。
【請求項２】
前記エプロンに腰紐を設けたことを特徴とする請求項１に記載のエプロン。
【請求項３】
前記エプロンの縦方向に形状保持部材を設けた請求項１又は請求項２のいずれかに記載のエプロン。
【発明の詳細な説明】
【技術分野】
【０００１】
本発明は飲食での食べこぼしの受け止め、日常の家事での作業、さらにガーデニングでの作業にも使用できる多目的なエプロンに関するものである。                
【背景技術】
【０００２】
従来からある、飲食時での食べこぼしによる衣類の汚れ防止用に考案されたエプロンは、デザインが飲食時での使用に限定されているものが多く、それらを家事等の作業に兼用しても違和感無く使用できるものは殆ど無かった。機能的であることに加え、デザインがシンプルかつスタイリッシュであり、さらに表と裏の両面使用できるものは見受けられない。
【先行技術文献】
【特許文献】
【０００３】
【特許文献１】実用新案出願公告第８６４号
【特許文献２】実用新案出願公告第７１０３号
【特許文献３】実用新案登録第３０７５５４５号
【発明の概要】
【発明が解決しようとする課題】
【０００４】
飲食時での食べこぼしを確実に受け止めることができるか。
飲食時だけの使用に止まらず、日常での家事やガーデニング作業等でも気軽に着用することができるか。  
デザインが極力シンプルで見た目も美しいか。
以上を課題とした。
【０００５】
先行技術文献で記載した特許文献１の考案は、エプロン下辺部の広範囲に芯板（３）が粘着されている。また、特許文献２の考案はエプロンに張支具（５）と挿入杵（６）を備えている。明細書に記載された部材は芯板及び金属杵とあり、これらは柔軟性に欠ける硬質部材を使用している為、洗濯時の取り扱いや収納時の折り畳みが難しいと推測される。加えて部材の重量が使用者の負担になることも懸念され、家事等で日常気軽に着用することは不可能である。
【０００６】
さらに、この両特許文献のエプロンはいずれも片面使用のみの考案であり、両面活用できるとの記載は無く、構造的にも両面が使用できる形状になっていない。その為用途が極めて限定的であり、本発明が目指す多機能でありながらデザインがシンプルで美しいエプロンという意図から外れる。
【０００７】
先行技術文献として記載した特許文献３は台所作業とガーデニング仕事を兼用できるエプロンとし開示されているが、飲食時での食べこぼしを確実に受け止めるという機能は無く、またその提案も含まれていない。
【課題を解決するための手段】
【０００８】
本発明は請求項１に記載したとおり、エプロン本体の上辺に首掛け紐を設けると共に、前記エプロン本体の両側辺のそれぞれ中央部と両側辺の下部に、それぞれ一対の接合部材を並列して、前記エプロン本体の外周寄りにフラップ状となるように固定したことを特徴とするエプロンである。
請求項２として、前記エプロンに腰紐を設けたことを特徴とする請求項１に記載のエプロンである。
請求項３として、前記エプロンの縦方向に形状保持部材を設けたことを特徴とする請求項１又は請求項２のいずれかに記載のエプロンである。
【発明の効果】
【０００９】
本発明によりエプロン本体に、図７及び図８で示す、直方体様の箱型が形成され、これにより食べこぼしを確実に受け止めることができる。
エプロン本体には塩化ビニール製ラミネート素材を使用し、デザインをシンプルにした為、付着した汚れを簡単に落とすことができる。
エプロン本体の縦方向に形状保持部材１１が挿入されることにより立体形成をした面部分が強化され、図２４の装着図のように小型の苗やスコップを乗せることができる。
形状保持部材１１は使用者の上半身に対し、縦に平行に立ち上がるため、使用時に首掛け紐３の下方向への牽引による首への負担が掛かりにくい。
【００１０】
首掛け紐３と腰紐４にアクリル製滑り止めシートを用いると更に良い。このシートの利点は面テープと違い、対で使用する必要が無く単独使用ができるので、図２５で示すように広範囲でのサイズ調節が可能となる。また、このシートは指で触れるとさらりとした感触だが、表面に凹凸の無い塩化ビニール製ラミネート素材に対しては、かなりの粘着性を発揮する。
【図面の簡単な説明】
【００１１】
【図１】エプロン本体の正面図である。立体形成に伴うａ、ｂ、ｃの位置は図７及び図８で示す。破線は谷折り線であり仮想線を表す。
【図２】首掛け紐３と腰紐４を設置する前のＡ面を示す正面図である
【図３】首掛け紐３と腰紐４を設置する前のＢ面を示す背面図である。
【図４】（１）切り替え２の正面図である。       （２）（１）のＡ‐Ａ’線切断部端面図である。
【図５】首掛け紐３を切り替え２に接続したＡ面を示す平面図である。
【図６】首掛け紐３を切り替え２に接続したＢ面を示す平面図である。
【図７】Ｂ面をエプロン装着時の使用者側に向け、立体形成させた斜視図である。ａ、ｂ、ｃに関しては図１を参照。
【図８】Ａ面をエプロン装着時の使用者側に向け、立体形成させた斜視図である。ａ、ｂ、ｃに関しては図１を参照。
【図９】Ａ面下部右側でかどを図７及び図１１のように立体形成する場合の手順及び拡大図である。      （１）Ａ面の下部、右側を４５度傾けた平面図である。      （２）面テープ１６及び１７をＢ面から引き出した平面図である。      （３）上記面テープを張り合わせ、かどを立体形成させた斜視図である。
【図１０】Ｂ面の下部左側でかどを図８及び図１２のように立体形成する場合の手順及び拡大図である。            （１）Ｂ面の下部、左側を４５度傾けた平面図である。               （２）面テープ１６及び１７を内側に寄せ、張り合わせ、かどを立体形成させ  た斜視図である。
【図１１】Ｂ面をエプロン装着時の使用者側に向け、ガーデニング用に立体形成した斜視図である。
【図１２】Ａ面をエプロン装着時の使用者側に向け、ガーデニング用に立体形成した斜視図である。
【図１３】Ａ面をエプロン装着時の使用者側に向け、面テープ１２及び１４に腰紐４を接続した平面図である。
【図１４】Ａ面をエプロン装着時の使用者側に向け、面テープ１３及び１５に腰紐４を接続した平面図である。
【図１５】Ｂ面をエプロン装着時の使用者側に向け、面テープ１２及び１４に腰紐４を接続した平面図である。
【図１６】Ｂ面をエプロン装着時の使用者側に向け、面テープ１３及び１５に腰紐４を接続した平面図である。
【図１７】首掛け紐３の平面図である。              （１）首掛け紐３ａと首掛け紐３ｂを接続させた平面図である             (２）首掛け紐３ａと首掛け紐３ｂの平面図である。
【図１８】腰紐４の平面図である。    （１）腰紐４ａと腰紐４ｂを接続させた平面図である。        （２）腰紐４ａと腰紐４ｂの平面図である。
【図１９】一対の接合部材に関する実施例である。５１は谷折り線で仮想線を表す。        （１）２枚の基材それぞれに接合部材を固着させた平面図である。        （２）１枚の基材に２枚の接合部材を固着させた平面図である。（３）１枚の基材に１枚の接合部材を固着させた平面図である。
【図２０】フラップ状になった接合部材の詳細図である。        （１）Ｂ面の下部、左側を示した平面図である。        （２）（１）のＸの拡大図である。
【図２１】フラップ状になった接合部材の詳細図である。          （１）Ｂ面の下部、左側を示した平面図である。        （２）（１）のＸを斜め上から見て拡大した右側面図である。
【図２２】フラップ状になった接合部材の詳細図である。        （１）Ｂ面の下部、左側を示した平面図である。        （２）（１）のＸを拡大した斜視図である。
【図２３】図７で示す形状のエプロンを装着した斜視図である。
【図２４】図１１で示す形状のエプロンを装着した斜視図である。
【図２５】腰紐４のサイズ調節の範囲を示す図である。        （１）バックルの付いた腰紐４ｂの平面図である。                        （２）腰紐４ａの平面図であるが、ｄ部分はアクリル製滑り止めシート４３を接着することが可能な範囲を示す。
【発明を実施するための形態】
【００１２】
以下、本発明の形態を実施例に基づき図面を参照し詳細に説明する。
【実施例】
【００１３】
エプロンの原型を図１に示すようにエプロン本体と表記する。図２及び図３で示すように、エプロン本体の上部に切り替え２を設け、その切り替え２に首掛け紐３の装着に使用する面テープ２１及び２２を施した。本発明は請求項１で記載したとおりの構造であるが、更に両面での使用も可能である。以下、接合部材１２〜１９が施されて無い面をＡ面、接合部材１２〜１９が施された面をＢ面とする。
【００１４】
請求項１で示したエプロン本体の上辺及び両側辺と表記したが、これらは直線でも良いし、体に沿うよう曲線にしても良い。
【００１５】
本エプロンにはポリエチレン製の形状保持部材１１が２箇所、挿入されている。今回の実施では形状保持部材を大人用として平型、巾４ｍｍ、厚み０．６４ｍｍ（三井化学株式会社製のテクノロート  Ｈ２００００）を使用したが、エプロンのサイズを子供用にした場合は巾を４ｍｍ以下に細くしても良い。請求項３で記載した形状保持部材とは針金状に繋がった線材を意味し、切断面は平型、丸型等、あらゆる形状を含む。また材質はプラスチック、金属など多様な材質が考えられる。
【００１６】
飲食時での食べこぼし防止用として使用する場合は、本エプロンに施した切り替え２に面テープ２１及び２２に首掛け紐３を接続させる。平面図は図５及び図６、装着図は図２３のようになる。
【００１７】
平面状のエプロンを立体的に形成させ、使用する方法であるが図１で示すようにエプロン本体をａ、ｂ、ｃを縦方向に区分した３つの面とし、仮想線で分割し説明する。
【００１８】
図７及び図８で示すａは使用者の胸当て部分と、箱型に形成された食べこぼし受け止め部分の壁面の１つを兼ねる。形状保持部材１１の挿入によりａの縦方向への立ち上がりが強化される為、着席をした使用者に首掛け紐３が及ぼす、下方への牽引による首部への負担が軽減される。ｂは食べこぼし受け止め部分の底面となる。図６で示した接合部材である面テープ１２及び１３、１４及び１５、１６及び１７、１８及び１９を対にして面テープ同士を張り合わせ、かどを４箇所、立体形成させる。ｃの部分に挿入された形状保持部材を立ち上がらせａと対面する壁面を作ることで食べこぼしを漏らさず確実に受け止めることができる。
【００１９】
図７の形態を装着すると図２３のようになる。上記、面テープ１２〜１９は請求項１に表記した接合部材の一例とし使用した。  
図６で示す１２〜１９の面テープ上の破線は運針線を表す。本エプロンの実施では塩化ビニール製ラミネート素材を接合部材の基材とし、その上に面テープを固着し使用した。
【００２０】
請求項１で表記したフラップ状とは図２０で示すようにエプロンの外周寄りに接合部材β部分のみを固着させ、接合部材の先端部α‐βはエプロン本体とは固着せず可動できる形態をいう。接合部材の縦方向の長さを表すαとβの割合はα＞２βであることが望ましい。フラップ状の形態を表す詳細な図面は図２１及び図２２に示した。
【００２１】
本発明で最も特徴的なのが、このフラップ状という形態を取り入れたことで、表と裏に相当するＡ面、Ｂ面の両面それぞれに、箱型様の食べこぼし受け止め部の立体形成を可能にしたことである。特に図５で示したエプロン本体部分の表面には装飾や付属品等の設置が無い形状にも拘わらず、これを図７のように変形させることができるのは、Ｂ面側に施された接合部材がフラップ状である為、その部分が可動することで接合部材をＢ面側からＡ面側に引き出すことを可能にしたことによる。詳細は図９で示す。
【００２２】
請求項１で記載した接合部材とは、例えば面テープ（面ファスナー）の各種、ボタンとボタンホール、スプリングホック（スナップ）又はファスナー（ジッパー）等を指す。本エプロンではオス、メスの区別の無い面テープを選択し実施例とした。
【００２３】
又、請求項１に記載した並列した一対の接合部材は直接エプロン本体に縫着しても良いが土台となる基材に接合部材を固着し、その基材をエプロン本体に縫着しても良い。この場合、基材の形態については、２枚の基材それぞれに接合部材を固着させ一組にしたものを一対とみなすだけでなく、1枚の基材に少なくとも２枚の接合部材を固着させる。又は１枚の基材に１枚だけの接合部材を固着させ、二つ折りにして使用することも同一とし、これら全てを並列した一対の接合部材と特定する。詳細は図１９で実施例を示した。
【００２４】
図７で示すようにＢ面を使用者側に向け、立体形成させて使用する方法は図９の手順である。対になった面テープをＢ面側からＡ面側に引き出し、２枚を張り合わせ、かどを４箇所形成する。図８で示すようにＡ面を使用者側に向け、立体形成させて使用する方法は図１０の手順で対の面テープを２枚内側に寄せ合わせて、かどを４箇所形成する。          
【００２５】
家事等で使用する場合は、図５及び図６の平面の形体となり、使用者はＡ面側又はＢ面側を選択し、腰紐４を組み合わせる。背面から見ると図１３〜図１６のようになる。                                                          
【００２６】
ガーデニング作業で使用する場合も、図５及び図６の形体に腰紐４を接続する。これは前述の家事で使用したパーツと同様であるが、ここでは平面ではなく立体化させ使用する。エプロンＢ面の下部に施した接合部材である面テープ１６及び１７、１８及び１９を対にして張り合わせ、２箇所かどを立体形成させると図１１及び図１２の形状となる。形成方法は図９及び図１０の手順となる。エプロン本体に塵取り型様の器が形成され、それが膝の上に乗る形状となる。この場合も形状保持部材１１によりエプロン本体が面方向に対し、折れ曲がりにくく強化されるため、装着図２４のように小型の苗やスコップ等を膝に乗せることができる。
【００２７】
首掛け紐３について説明する。首掛け紐３は食事、家事、ガーデニングとすべての場合で必ず使用する。首掛け紐３は図１７で示すように、アクリル製滑り止めシートが施された部分３ａとバックルが施された部分３ｂの２つのパーツに分かれる。使用時には切り替え２に設けた面テープ２１及び２２に接続させる。切り替え２の詳細及びＡ‐Ａ’線切断部端面図は図４で示した。
【００２８】
首掛け紐３の長さ調節に接着用のシートとしてアクリル製滑り止めシートを使用したが、これにより使用時の首掛け紐３のサイズ調節が容易になる。アクリル製滑り止めシートを使用する場合は首掛け紐３に使用する素材が限定される。ここで使用する素材は塩化ビニール製ラミネートで表面に凹凸の無い滑らかなもののみ使用可能となる。素材の表面に起伏があると、前記シートが持つ粘着力の極端な低下が懸念される。
【００２９】
使用方法はバックル３２にアクリル製滑り止めシート３３が施された首掛け紐３ａの先端を通し、折り返したら任意の位置で押さえ、ベルト押さえ３４をスライドさせ固定する。アクリル製滑り止めシート３３は塩化ビニール製のラミネート素材に対し粘着性を発揮するため激しい動きをしない限り、ずれる心配は無いが念のためにベルト押さえ３４を用いると、首掛け紐３ａが前記シート３３と密着し安定する。
【００３０】
腰紐４について説明する。腰紐４も２つのパーツに分けることができる。図１８で示すようにアクリル製滑り止めシート４３が施された部分を４ａとし、バックルが施された部分を４ｂとする。ベースとなる素材は首掛け紐３と同様、表面に凹凸の無い塩化ビニール製ラミネートを使用する。使用方法はバックル４２にアクリル製滑り止めシート４３を施した腰紐４ａの先端を通し、折り返したら任意の位置で押さえ、ベルト押さえ４４をスライドし、固定する。図２５で示すようにアクリル製滑り止めシート４３を使用すると首掛け紐３の場合と同様、サイズ調節の範囲が広くなる。図２５の（２）で示すようにアクリル製滑り止めシート４３は腰紐４ａのｄ部分であれば、どの場所でも接着が可能である。
【００３１】
腰紐４は使用者のウェストの位置で、腰紐４に接続させる面テープの位置を選択することができる。図１３及び図１５で示すように、使用者のウェストの位置が高い場合は面テープ１２及び１４の組み合わせを選択すると良い。また使用者のウェストの位置が低い場合は図１４及び図１６で示すように面テープ１３及び１５の組み合わせを選択すると良い。
【符号の説明】
【００３２】
１  エプロン本体
１１  形状保持部材
１２  面テープ
１３  面テープ  
１４  面テープ
１５  面テープ
１６  面テープ
１７  面テープ
１８  面テープ
１９  面テープ
２  切り替え
２１  面テープ
２２  面テープ
３  首掛け紐
３ａ  アクリル製滑り止めシート付きの首掛け紐
３ｂ  バックル付きの首掛け紐
３１  面テープ
３２  バックル
３３  アクリル製滑り止めシート
３４  ベルト押さえ
３５  基材裏面に面テープ
４  腰紐
４ａ  アクリル製滑り止めシート付きの腰紐
４ｂ  バックル付きの腰紐
４１  裏面に面テープ
４２  バックル
４３  アクリル製滑り止めシート
４４  ベルト押さえ
４５  基材裏面に面テープ
５１  折り線（仮想線）
５２  運針線
５３  接合部材
５４  基材
【図１】
2013049931.tif 000003
【図２】
2013049931.tif 000004
【図３】
2013049931.tif 000005
【図４】
2013049931.tif 000006
【図５】
2013049931.tif 000007
【図６】
2013049931.tif 000008
【図７】
2013049931.tif 000009
【図８】
2013049931.tif 000010
【図９】
2013049931.tif 000011
【図１０】
2013049931.tif 000012
【図１１】
2013049931.tif 000013
【図１２】
2013049931.tif 000014
【図１３】
2013049931.tif 000015
【図１４】
2013049931.tif 000016
【図１５】
2013049931.tif 000017
【図１６】
2013049931.tif 000018
【図１７】
2013049931.tif 000019
【図１８】
2013049931.tif 000020
【図１９】
2013049931.tif 000021
【図２０】
2013049931.tif 000022
【図２１】
2013049931.tif 000023
【図２２】
2013049931.tif 000024
【図２３】
2013049931.tif 000025
【図２４】
2013049931.tif 000026
【図２５】
2013049931.tif 000027
【手続補正書】
【提出日】平成23年9月6日(2011.9.6)
【手続補正１】
【補正対象書類名】明細書
【補正対象項目名】０００３
【補正方法】変更
【補正の内容】
【０００３】
【特許文献１】実用新案出願公告昭和７年第８６４号
【特許文献２】実用新案出願公告昭和４年第７１０３号
【特許文献３】実用新案登録第３０７５５４５号
【手続補正書】
【提出日】平成24年1月11日(2012.1.11)
【手続補正１】
【補正対象書類名】明細書
【補正対象項目名】０００８
【補正方法】変更
【補正の内容】
【０００８】
本発明は請求項１に記載したとおり、エプロン本体の上辺に首掛け紐を設けると共に、前記エプロン本体の一方の面であって、エプロン本体の両側辺のそれぞれ縦方向中央部と両側辺の下部に形成した斜辺の４箇所に、それぞれエプロン本体の面を向かい合わせに折り曲げて接合し、箱型のかどを形成するための一対の接合部材をエプロン本体へ固着する部分よりも固着されない部分が大きくなるように並列して、前記エプロン本体の外周寄りに接合部材の一部を固着して、接合部材の先端部は固着せず可動できる形態となるようにしたことを特徴とするエプロンである。
請求項２として、前記エプロンに腰紐を設けたことを特徴とする請求項１に記載のエプロンである。
請求項３として、前記エプロンの縦方向に形状保持部材を設けたことを特徴とする請求項１又は請求項２のいずれかに記載のエプロンである。
【手続補正２】
【補正対象書類名】特許請求の範囲
【補正対象項目名】請求項１
【補正方法】変更
【補正の内容】
【請求項１】
エプロン本体の上辺に首掛け紐を設けると共に、前記エプロン本体の一方の面であって、エプロン本体の両側辺のそれぞれ縦方向中央部と両側辺の下部に形成した斜辺の４箇所に、それぞれエプロン本体の面を向かい合わせに折り曲げて接合し、箱型のかどを形成するための一対の接合部材をエプロン本体へ固着する部分よりも固着されない部分が大きくなるように並列して、前記エプロン本体の外周寄りに接合部材の一部を固着して、接合部材の先端部は固着せず可動できる形態となるようにしたことを特徴とするエプロン。